(57)【要約】【課題】ケース内のプリント基板を樹脂で埋設する樹脂封止工程において、樹脂が樹脂注入ノズルに付着することを防止する。【解決手段】底部３および側部４，５を有し上方に開口したケース２と、厚さ方向に貫通する樹脂注入孔１１が設けられたプリント基板１０と、所定の高さの筒状の樹脂堰止部７を有するスペーサ部材６とを備える電気機器１の製造方法であって、スペーサ部材６の樹脂堰止部７をプリント基板１０の上面に配置する工程と、プリント基板１０の下面１０ｂがケース２の底部３の内面３ａに対向するように、ケース２内にプリント基板１０を設置する工程と、樹脂注出ノズル５０の先端部５１を樹脂堰止部７に挿入し、樹脂注出ノズル５０から注出された樹脂をスペーサ部材６および樹脂注入孔１１を介してケース２とプリント基板１０とで画成された内部空間Ｓに注入する工程とを備える。【選択図】図２Ｄ
2015076580.tif 000002
【特許請求の範囲】
【請求項１】
底部および複数の側部を有し上方に開口したケースと、厚さ方向に貫通する樹脂注入孔が設けられたプリント基板と、所定の高さの筒状の樹脂堰止部を有するスペーサ部材とを備える電気機器の製造方法であって、
前記スペーサ部材の前記筒状の樹脂堰止部を、前記筒状の樹脂堰止部を高さ方向に貫通する直線が前記樹脂注入孔を通るように前記プリント基板の上面に配置する配置工程と、
前記プリント基板の下面が前記ケースの底部の内面に対向するように、前記ケース内に前記プリント基板を設置する工程と、
前記樹脂注出ノズルの先端部を前記筒状の樹脂堰止部に挿入し、前記樹脂注出ノズルから注出された樹脂を前記スペーサ部材および前記樹脂注入孔を介して前記ケースと前記プリント基板とで画成された内部空間に注入する工程と、
を備えることを特徴とする電気機器の製造方法。
【請求項２】
前記樹脂堰止部の高さが、前記内部空間の樹脂充填が完了した時点において、前記内部空間から前記プリント基板の上面側に回り込んだ樹脂のうち前記樹脂堰止部に到達した樹脂の、前記プリント基板の上面からの高さよりも高くなるように設定されているものを、前記スペーサ部材として用いることを特徴とする請求項１に記載の電気機器の製造方法。
【請求項３】
前記内部空間の樹脂充填が完了すると、前記樹脂注入ノズルを前記スペーサ部材から外し前記プリント基板から所定の距離を保った状態で樹脂の注出を継続し、前記プリント基板を樹脂で埋設することを特徴とする請求項１または２に記載の電気機器の製造方法。
【請求項４】
前記スペーサ部材は、前記筒状の樹脂堰止部に連通し、かつ前記樹脂注入孔の径以下の外径の管状部をさらに有し、
前記配置工程において、前記管状部が前記樹脂注入孔に挿入されることを特徴とする請求項１〜３のいずれかに記載の電気機器の製造方法。
【請求項５】
前記スペーサ部材は、前記筒状の樹脂堰止部に連通し、かつ前記樹脂注入孔の径以下の外径の管状部を有し、
前記管状部の外周には、前記管状部の中心軸方向に沿って延びる線状の凸部が設けられており、
前記配置工程において、前記凸部が弾性変形することで前記管状部は前記樹脂注入孔に圧入されることを特徴とする請求項１〜３のいずれかに記載の電気機器の製造方法。
【請求項６】
前記管状部の内径は、樹脂注入ノズルの樹脂注出口の径以上であることを特徴とする請求項４または５に記載の電気機器の製造方法。
【請求項７】
前記スペーサ部材は、前記筒状の樹脂堰止部の端面に設けられ、前記筒状の樹脂堰止部の中心軸に沿って延びる複数のピンを有し、
前記配置工程において、前記複数のピンが、前記プリント基板の前記樹脂注入孔の近傍に複数形成されたピン挿入孔にそれぞれ挿入されることを特徴とする請求項１〜６のいずれかに記載の電気機器の製造方法。
【請求項８】
前記配置工程において、前記筒状の樹脂堰止部の中心軸が前記プリント基板の上面と直交するように前記樹脂堰止部を前記プリント基板に配置することを特徴とする請求項１〜７のいずれかに記載の電気機器の製造方法。
【請求項９】
前記スペーサ部材として、樹脂またはゴムからなるものを用いることを特徴とする請求項１〜８のいずれかに記載の電気機器の製造方法。
【請求項１０】
底部および複数の側部を有し、上方に開口したケースと、
厚さ方向に貫通する樹脂注入孔が設けられ、下面が前記底部の内面と対向するように前記ケース内に格納されたプリント基板と、
所定の高さの筒状の樹脂堰止部を有するスペーサ部材であって、前記筒状の樹脂堰止部を高さ方向に貫通する直線が前記樹脂注入孔を通るように前記プリント基板の上面に配置された、スペーサ部材と、
前記スペーサ部材および前記樹脂注入孔を介して樹脂を前記ケースと前記プリント基板とで画成された内部空間に注入することにより形成された封止樹脂であって、前記内部空間に充填され、前記プリント基板を埋設する、封止樹脂と、
を備えることを特徴とする電気機器。
【発明の詳細な説明】
【技術分野】
【０００１】
本発明は、電気機器の製造方法、および電気機器に関する。より詳しくは、本発明は、ケース内のプリント基板が樹脂で埋設された電気機器の製造方法、および該電気機器に関する。
【背景技術】
【０００２】
従来、電子部品が実装されたプリント基板をケース内に格納した電気機器が知られている。このような電気機器においては、耐振動、放熱および防水等のために、硬質ポッティング樹脂などの樹脂を用いて、ケース内に格納されたプリント基板および電子部品を埋設することがある。
【０００３】
ケース内のプリント基板等を埋設する樹脂封止工程では、プリント基板とケースとで画成された空間（以下、単に「内部空間」ともいう。）に気泡が残らないように、樹脂を内部空間に圧入する方法が採られる。この方法では、プリント基板の略中央部に貫通孔（樹脂注入孔）を設け、この貫通孔に樹脂注入ノズルを挿入して樹脂を内部空間に圧入する（例えば特許文献１参照）。
【０００４】
樹脂注入孔から内部空間に圧入された樹脂は、同心円状に広がりケースの側部に達した後、プリント基板の端辺とケースの側部との間の隙間を通ってプリント基板の上側に噴出する。内部空間の樹脂充填が完了すると、樹脂注入ノズルを樹脂注入孔から外してプリント基板の上から樹脂を滴下し、プリント基板の上面を樹脂で覆う。このようにして、ケース内のプリント基板および電子部品を樹脂で埋設する。
【先行技術文献】
【特許文献】
【０００５】
【特許文献１】特開２０００−１０６４９２号公報
【発明の概要】
【発明が解決しようとする課題】
【０００６】
上述の樹脂封止工程では、内部空間に充填された樹脂中に気泡が発生することを防止する観点から、内部空間の樹脂充填が完了するまで、樹脂注入孔を介して樹脂を圧入し続けることが好ましい。
【０００７】
しかしながら、実際には、電子部品の配置の都合等によりプリント基板の中央部に樹脂注入孔を設けることが困難な場合がある。また、ケースの平面視形状は、略長方形形状であることが多い。このため、たとえプリント基板の中央部に樹脂注入孔を設けたとしても、ケースの側部と樹脂注入孔との間の距離は一定にならない場合がある。
【０００８】
このような場合は、内部空間から樹脂が噴出するタイミングがプリント基板の辺ごとに異なる。具体的には、ケースの短辺に比べて樹脂注入孔との距離が短いケースの長辺の隙間から先に樹脂が噴出する。その結果、内部空間の樹脂充填が完了する前に、長辺側のケース側部とプリント基板の端辺との間の隙間から噴出した樹脂がプリント基板の上面を覆いながら中央部に広がり、樹脂注入ノズルに付着してしまうという課題があった。
【０００９】
樹脂が樹脂注入ノズルに付着した場合、樹脂注入ノズルが詰まって故障の原因となったり、樹脂注入ノズルに付着した樹脂が落下して製品の外観部を汚してしまうおそれがある。
【００１０】
そこで、本発明は、ケース内のプリント基板を樹脂で埋設する樹脂封止工程において、樹脂が樹脂注入ノズルに付着することを防止可能な電気機器の製造方法、および該電気機器を提供することを目的とする。
【課題を解決するための手段】
【００１１】
本発明の一態様に係る電気機器の製造方法は、
底部および複数の側部を有し上方に開口したケースと、厚さ方向に貫通する樹脂注入孔が設けられたプリント基板と、所定の高さの筒状の樹脂堰止部を有するスペーサ部材とを備える電気機器の製造方法であって、
前記スペーサ部材の前記筒状の樹脂堰止部を、前記筒状の樹脂堰止部を高さ方向に貫通する直線が前記樹脂注入孔を通るように前記プリント基板の上面に配置する配置工程と、
前記プリント基板の下面が前記ケースの底部の内面に対向するように、前記ケース内に前記プリント基板を設置する工程と、
前記樹脂注出ノズルの先端部を前記筒状の樹脂堰止部に挿入し、前記樹脂注出ノズルから注出された樹脂を前記スペーサ部材および前記樹脂注入孔を介して前記ケースと前記プリント基板とで画成された内部空間に注入する工程と、
を備えることを特徴とする。
【００１２】
また、前記電気機器の製造方法において、
前記樹脂堰止部の高さが、前記内部空間の樹脂充填が完了した時点において、前記内部空間から前記プリント基板の上面側に回り込んだ樹脂のうち前記樹脂堰止部に到達した樹脂の、前記プリント基板の上面からの高さよりも高くなるように設定されているものを、前記スペーサ部材として用いるようにしてもよい。
【００１３】
また、前記電気機器の製造方法において、
前記内部空間の樹脂充填が完了すると、前記樹脂注入ノズルを前記スペーサ部材から外し前記プリント基板から所定の距離を保った状態で樹脂の注出を継続し、前記プリント基板を樹脂で埋設するようにしてもよい。
【００１４】
また、前記電気機器の製造方法において、
前記スペーサ部材は、前記筒状の樹脂堰止部に連通し、かつ前記樹脂注入孔の径以下の外径の管状部をさらに有し、
前記配置工程において、前記管状部が前記樹脂注入孔に挿入されるようにしてもよい。
【００１５】
また、前記電気機器の製造方法において、
前記スペーサ部材は、前記筒状の樹脂堰止部に連通し、かつ前記樹脂注入孔の径以下の外径の管状部を有し、
前記管状部の外周には、前記管状部の中心軸方向に沿って延びる線状の凸部が設けられており、
前記配置工程において、前記凸部が弾性変形することで前記管状部は前記樹脂注入孔に圧入されるようにしてもよい。
【００１６】
また、前記電気機器の製造方法において、
前記管状部の内径は、樹脂注入ノズルの樹脂注出口の径以上であるようにしてもよい。
【００１７】
また、前記電気機器の製造方法において、
前記スペーサ部材は、前記筒状の樹脂堰止部の端面に設けられ、前記筒状の樹脂堰止部の中心軸に沿って延びる複数のピンを有し、
前記配置工程において、前記複数のピンが、前記プリント基板の前記樹脂注入孔の近傍に複数形成されたピン挿入孔にそれぞれ挿入されるようにしてもよい。
【００１８】
また、前記電気機器の製造方法において、
前記配置工程において、前記筒状の樹脂堰止部の中心軸が前記プリント基板の上面と直交するように前記樹脂堰止部を前記プリント基板に配置するようにしてもよい。
【００１９】
また、前記電気機器の製造方法において、
前記スペーサ部材として、樹脂またはゴムからなるものを用いるようにしてもよい。
【００２０】
本発明の一態様に係る電気機器は、
底部および複数の側部を有し、上方に開口したケースと、
厚さ方向に貫通する樹脂注入孔が設けられ、下面が前記底部の内面と対向するように前記ケース内に格納されたプリント基板と、
所定の高さの筒状の樹脂堰止部を有するスペーサ部材であって、前記筒状の樹脂堰止部を高さ方向に貫通する直線が前記樹脂注入孔を通るように前記プリント基板の上面に配置された、スペーサ部材と、
前記スペーサ部材および前記樹脂注入孔を介して樹脂を前記ケースと前記プリント基板とで画成された内部空間に注入することにより形成された封止樹脂であって、前記内部空間に充填され、前記プリント基板を埋設する、封止樹脂と、
を備えることを特徴とする。
【発明の効果】
【００２１】
本発明では、樹脂封止工程前に、筒状の樹脂堰止部を有するスペーサ部材をプリント基板の樹脂注入孔に配置しておくことで、内部空間からプリント基板の上面側に回り込んだ樹脂がスペーサ部材の樹脂堰止部によって堰き止められ、樹脂が樹脂注入ノズルに付着することを防止することができる。
【００２２】
よって、本発明によれば、ケース内のプリント基板を樹脂で埋設する樹脂封止工程において、樹脂が樹脂注入ノズルに付着することを防止可能な電気機器の製造方法、および該電気機器を提供することができる。
【図面の簡単な説明】
【００２３】
【図１】本発明の一実施形態で用いるスペーサ部材の斜視図である。
【図２Ａ】本発明の一実施形態に係る電気機器の製造方法を説明するための図である。
【図２Ｂ】図２Ａに続く、本発明の一実施形態に係る電気機器の製造方法を説明するための図である。
【図２Ｃ】図２Ｂに続く、本発明の一実施形態に係る電気機器の製造方法を説明するための図である。
【図２Ｄ】図２Ｃに続く、本発明の一実施形態に係る電気機器の製造方法を説明するための図である。
【図２Ｅ】図２Ｄに続く、本発明の一実施形態に係る電気機器の製造方法を説明するための図である。
【図３】（ａ）は本発明の一実施形態に係る電気機器の平面図を示し、（ｂ）は（ａ）のＡ−Ａ線に沿う断面図である。
【図４】（ａ）は第１の変形例に係るスペーサ部材の斜視図であり、（ｂ）は該スペーサ部材の下面図である。
【図５】（ａ）は第２の変形例に係るスペーサ部材の斜視図であり、（ｂ）は該スペーサ部材の下面図である。
【図６】第２の変形例に係るスペーサ部材が配置されたプリント基板の断面図である。
【発明を実施するための形態】
【００２４】
以下、図面を参照しつつ本発明の実施形態について説明する。なお、各図において同等の機能を有する構成要素には同一の符号を付し、同一符号の構成要素の詳しい説明は繰り返さない。
【００２５】
まず、図１を参照して、本実施形態に係る電気機器１の製造に用いるスペーサ部材６の構成について説明する。その後、図２Ａ〜図２Ｅおよび図３を参照して、電気機器１の製造方法および電気機器１の構成について説明する。
【００２６】
図１に示すように、スペーサ部材６は、筒状の樹脂堰止部７と、樹脂堰止部７に連通する管状部８とを有する。
【００２７】
樹脂堰止部７は、内部空間からプリント基板１０（後述）の上面側に回り込んだ樹脂が樹脂注入ノズルに付着するのを防止するためのものであり、所定の高さを有する。
【００２８】
管状部８は、プリント基板１０の樹脂注入孔１１内に挿入される部分である。詳しくは、図２Ａを参照して後述する。
【００２９】
管状部８の外形の大きさは、樹脂堰止部７の外形の大きさよりも小さく、より詳しくは、プリント基板１０の樹脂注入孔１１の径以下である。
【００３０】
なお、スペーサ部材６の材質は、特に限定されないが、コストの観点や樹脂注入ノズルが金属製であることから、比較的安価であって樹脂注入ノズルを傷つけない材質（例えば樹脂またはゴム）であることが好ましい。
【００３１】
また、樹脂堰止部７および管状部８の外形は、円柱状に限らず、例えば多角柱状であってもよい。
【００３２】
次に、図２Ａ〜図２Ｅおよび図３を参照して、本実施形態に係る電気機器１の製造方法、および電気機器１の構成について説明する。図２Ａは、スペーサ部材６が装着されたプリント基板１０の断面図である。図２Ｂ、図２Ｃおよび図２Ｅは、プリント基板１０の樹脂注入孔１１およびケース２の側部４を通る線に沿う断面図である。図２Ｄは、プリント基板１０の樹脂注入孔１１およびケース２の側部５を通る線に沿う断面図である。
【００３３】
まず、図２Ａに示すように、各種チップ部品（例えば半導体スイッチ、抵抗、コンデンサ）等の電子部品１２および電解コンデンサ等の電子部品１３が実装されたプリント基板１０を用意する。プリント基板１０には、プリント基板１０を厚さ方向に貫通する樹脂注入孔１１が設けられている。なお、図２Ａでは、プリント基板１０の下面１０ｂにのみ電子部品が実装されているが、上面１０ａに電子部品が実装されていてもよい。
【００３４】
また、プリント基板１０を収納するためのケース２を用意する。ケース２は、底部および複数の側部を有し、上方に開口している。本実施形態では、ケース２は、図３に示すように、平面視して略長方形形状である。
【００３５】
即ち、ケース２は、略長方形状の底部３と、底部３の短辺に接続する２つの側部４と、底部３の長辺に接続する２つの側部５とを有する。なお、ケース２の平面形状は、略長方形形状に限らず、例えば、略正方形形状や略五角形形状など他の略多角形形状であってもよい。また、ケース２は、例えば樹脂製であるが、その他の材料（金属等）で構成されていてもよい。
【００３６】
次に、図２Ａに示すように、スペーサ部材６の管状部８が樹脂注入孔１１に挿入されるように、スペーサ部材６をプリント基板１０に配置する（配置工程）。
【００３７】
より一般的に言えば、本配置工程では、スペーサ部材６の樹脂堰止部７を、樹脂堰止部７を高さ方向に貫通する直線が樹脂注入孔１１を通るように、プリント基板１０の上面１０ａに配置する。樹脂堰止部７を高さ方向に貫通する直線は、例えば図１の中心軸Ｌのように、樹脂堰止部７を長さ方向に貫通する直線である。
【００３８】
なお、本配置工程において、図２Ａに示すように、樹脂堰止部７の中心軸Ｌがプリント基板１０の上面１０ａと直交するように、樹脂堰止部７をプリント基板１０に配置することが好ましい。
【００３９】
なお、スペーサ部材６は、チップマウンター等の装置を用いて、プリント基板１０上に搭載するようにしてもよい。
【００４０】
また、スペーサ部材６として、樹脂またはゴムからなるものを用いることが好ましい。
【００４１】
次に、図２Ｂに示すように、プリント基板１０の下面１０ｂがケース２の底部３の内面３ａに対向するように、ケース２内にプリント基板１０を設置する（設置工程）。プリント基板１０は、ケース２の底部３から所定の距離を保つように、底部３に設けられた台座等（図示せず）の上に載置される。ケース２内にプリント基板１０を収納することにより、図２Ｂに示すように、ケース２とプリント基板１０とで画成された内部空間Ｓが形成される。
【００４２】
次に、図２Ｃに示すように、樹脂注出ノズル５０の先端部５１を樹脂堰止部７に挿入する。そして、樹脂注出ノズル５０から注出された樹脂（硬質ポッティング樹脂など）を、スペーサ部材６および樹脂注入孔１１を介して内部空間Ｓに注入する（樹脂封止工程）。
【００４３】
なお、本発明において先端部５１を樹脂堰止部７に挿入するというときは、先端部５１の挿入深さは特に限定されない。即ち、先端部５１を樹脂堰止部７に当接させてもよいし、あるいは先端部５１を樹脂堰止部７に挿通させてもよい。
【００４４】
また、熱伝導率を確保する等の目的で、樹脂注入ノズル５０から、粘度の高い樹脂を注出してもよい。この場合、樹脂注出ノズル５０から注出された樹脂は、スペーサ部材６および樹脂注入孔１１を介して内部空間Ｓに圧入される。
【００４５】
図２Ｄは、樹脂封止工程が進行し、内部空間Ｓの樹脂充填が完了した時点における断面図を示している。封止樹脂２０は、内部空間Ｓに注入ないし圧入された樹脂である。封止樹脂２０のうち樹脂２０ａは、プリント基板１０の端辺とケース２の側部５との間の隙間を通って噴出し、プリント基板１０の上面１０ａを覆う樹脂を示している。
【００４６】
図２Ｄに示すように、底部３の長辺に接続する側部５は樹脂注入孔１１からの距離が側部４に比べて短いため、内部空間Ｓの樹脂充填が完了した時点、即ち、プリント基板１０の端辺と側部４との間の隙間から樹脂が噴出した時点で、樹脂２０ａが既にスペーサ部材６に到達している。
【００４７】
しかしながら、図２Ｄに示すように、樹脂２０ａはスペーサ部材６の樹脂堰止部７によって堰き止められるため、樹脂注入ノズル５０（先端部５１）に樹脂が付着することを防止することができる。
【００４８】
なお、樹脂堰止部７の高さは、内部空間Ｓの樹脂充填が完了した時点において、樹脂２０ａのうち樹脂堰止部７に到達した樹脂の、プリント基板１０の上面１０ａからの高さよりも高くなるように設定されていることが好ましい。これにより、樹脂堰止部７は、少なくとも内部空間Ｓの樹脂充填が完了するまで、樹脂２０ａが樹脂堰止部７を越えることはなく、プリント基板１０の端辺から押し寄せる樹脂を堰き止めることができる。
【００４９】
内部空間Ｓの樹脂充填が完了した後、図２Ｅに示すように、樹脂注入ノズル５０をスペーサ部材６から外し、プリント基板１０から所定の距離を保った状態で樹脂の注出を継続し、プリント基板１０を樹脂で埋設する。
【００５０】
なお、樹脂の注入は、スペーサ部材６を完全に埋設するまで行ってもよいし、樹脂堰止部７が一部露出した段階で終了してもよい。いずれにせよ、スペーサ部材６は樹脂封止工程の途中で回収されることなく、プリント基板１０とともに樹脂封止される。このように、スペーサ部材６は再利用されず、電気機器１ごとに新しいものが使用される。
【００５１】
上記の工程を経て、図３（ａ），（ｂ）に示す電気機器１が製造される。図３（ａ）は電気機器１の平面図を示し、図３（ｂ）は図３（ａ）のＡ−Ａ線に沿う断面図を示している。
【００５２】
図３（ａ），（ｂ）に示すように、本実施形態に係る電気機器１は、ケース２と、プリント基板１０と、スペーサ部材６と、封止樹脂２０とを備えている。
【００５３】
電気機器１において、ケース２は、底部３および複数の側部４，５を有し、上方に開口している。プリント基板１０は、その下面１０ｂが底部３の内面３ａと対向するように、ケース２内に格納されている。スペーサ部材６は、筒状の樹脂堰止部７を高さ方向に貫通する直線が樹脂注入孔１１を通るように、プリント基板１０の上面１０ａに配置されている。封止樹脂２０は、スペーサ部材６および樹脂注入孔１１を介して内部空間Ｓに樹脂を注入することにより形成されている。この封止樹脂２０は、内部空間Ｓに充填されているとともに、封止樹脂２０の一部である樹脂２０ａがプリント基板１０の上面１０ａを覆うことにより、プリント基板１０を埋設している。
【００５４】
以上説明したように、本実施形態では、樹脂堰止部７を有するスペーサ部材６を樹脂封止工程前に予めプリント基板１０に装着しておくことで、樹脂封止工程において樹脂が樹脂注入ノズル５０に付着することを防止することができる。その結果、樹脂注入ノズル５０が詰まって故障の原因となったり、樹脂注入ノズル５０に付着した樹脂が落下して製品の外観部を汚してしまうことを防止することができる。
【００５５】
さらに、内部空間Ｓの樹脂充填が完了するまで樹脂注入孔１１を介した樹脂の圧入を継続することが可能となるため、粘度の高い樹脂を用いた場合であっても、封止樹脂２０中に気泡が発生することを防止することができる。
【００５６】
また、スペーサ部材６によりプリント基板１０の樹脂注入孔１１の周囲が補強されるため、樹脂注入孔１１に直接樹脂注入ノズル５０を挿入する場合に比べて、樹脂注入時のプリント基板１０の撓み量を減少させることができる。よって、樹脂注入孔１１の近くまで配線パターンを形成することが可能となり、プリント基板１０の使用可能面積を増やすことができる。
【００５７】
なお、スペーサ部材６の樹脂堰止部７の内径は、プリント基板１０の樹脂注入孔１１の径よりも大きい方が好ましい。これより、樹脂注出ノズル５０の先端部５１を樹脂堰止部７に挿入する際における、樹脂注入ノズル５０とプリント基板１０との間の位置合せ精度を緩和することができる。
【００５８】
また、スペーサ部材６の管状部８の内径は、樹脂注入ノズル５０の樹脂注出口の径以上であることが好ましい。これにより、例えば樹脂封止工程において粘度の高い樹脂を内部空間Ｓに圧入する場合であっても、樹脂注出口から注出された樹脂がスペーサ部材６内の空間を充填して先端部５１に付着したり、さらには、当該樹脂が先端部５１とスペーサ部材６の接触部分から漏出して当該接触部分から上側の樹脂注入ノズル５０に付着することを防止できる。
【００５９】
また、樹脂堰止部７の開口部分は、樹脂注入ノズル５０の先端部５１の形状に合わせて加工されていることが好ましい。例えば、樹脂注入ノズル５０の先端部５１のテーパー形状に合わせて、樹脂堰止部７の端面（上側端面）と内周面とのなす角を落としておくことが好ましい。これにより、樹脂注出ノズル５０の先端部５１を樹脂堰止部７に挿入する際の作業容易性を高めることができる。
【００６０】
スペーサ部材６の構成については、上記のものに限られず、例えば、以下に説明するスペーサ部材６Ａ，６Ｂであってもよい。
【００６１】
（第１の変形例）
図４（ａ），（ｂ）を参照して、第１の変形例に係るスペーサ部材６Ａについて説明する。本変形例に係るスペーサ部材６Ａは、スペーサ部材６と同様、筒状の樹脂堰止部７および管状部８を有する。
【００６２】
スペーサ部材６Ａとスペーサ部材６との相違点は、スペーサ部材６Ａでは、管状部８の外周に、凸部９が複数設けられている点である。各凸部９は、管状部８の中心軸Ｌ方向に沿って延びる線状の凸部である。
【００６３】
なお、図４（ａ），（ｂ）では、凸部９は４本設けられているが、凸部９の本数はこれに限るものではない。
【００６４】
本変形例のスペーサ部材６Ａを用いる場合、前述の配置工程において、凸部９が弾性変形することで、管状部８は樹脂注入孔１１に圧入される。
【００６５】
これにより、管状部８の外径が樹脂注入孔１１の径よりも小さい場合でも、スペーサ部材６Ａをプリント基板１０にしっかりと固定することができ、樹脂注入ノズル５０をスペーサ部材６Ａから外す際にスペーサ部材６Ａがプリント基板１０から外れてしまうこと等を防止することができる。
【００６６】
（第２の変形例）
次に、図５（ａ），（ｂ）および図６を参照して、第２の変形例に係るスペーサ部材６Ｂについて説明する。本変形例に係るスペーサ部材６Ｂは、スペーサ部材６と同様、筒状の樹脂堰止部７を有するが、管状部８を有しない。
【００６７】
スペーサ部材６Ｂとスペーサ部材６との相違点は、スペーサ部材６Ｂでは、管状部８に代えて、ピン１８が複数設けられている点である。各ピン１８は、樹脂堰止部７の端面（下側端面）に設けられ、樹脂堰止部７の中心軸Ｌに沿って延びる。
【００６８】
なお、図５（ａ），（ｂ）では、ピン１８は２本設けられているが、ピン１８の本数はこれに限るものではない。
【００６９】
本変形例のスペーサ部材６Ｂを用いる場合、プリント基板１０の樹脂注入孔１１の近傍には、図６に示すように、複数のピン挿入孔１４を設けておく。
【００７０】
前述の配置工程において、図６に示すように、複数のピン１８の各々がピン挿入孔１４にそれぞれ挿入されるように、スペーサ部材６Ｂをプリント基板１０に装着する。
【００７１】
これにより、スペーサ部材６Ｂをプリント基板１０にしっかりと固定することができ、樹脂注入ノズル５０をスペーサ部材６Ｂから外す際にスペーサ部材６Ｂがプリント基板１０から外れてしまうこと等を防止することができる。
【００７２】
なお、第２の変形例は、最初に説明したスペーサ部材６、あるいは第１の変形例で説明したスペーサ部材６Ａと組み合わせてもよい。即ち、スペーサ部材６あるいはスペーサ部材６Ａにピン１８を設けてもよい。このようにすることで、スペーサ部材をプリント基板１０にさらにしっかりと固定することができる。
【００７３】
上記の記載に基づいて、当業者であれば、本発明の追加の効果や種々の変形を想到できるかもしれないが、本発明の態様は、上述した個々の実施形態に限定されるものではない。異なる実施形態にわたる構成要素を適宜組み合わせてもよい。特許請求の範囲に規定された内容及びその均等物から導き出される本発明の概念的な思想と趣旨を逸脱しない範囲で種々の追加、変更及び部分的削除が可能である。
【符号の説明】
【００７４】
１  電気機器
２  ケース
３  底部
３ａ  内面
４，５  側部
６,６Ａ，６Ｂ  スペーサ部材
７  樹脂堰止部
８  管状部
９  凸部
１０  プリント基板
１０ａ  上面
１０ｂ  下面
１１  樹脂注入孔
１２，１３  電子部品
１４  ピン挿入孔
１８  ピン
２０  封止樹脂
２０ａ  （プリント基板上の）樹脂
５０  樹脂注出ノズル
５１  先端部
Ｌ  中心軸
Ｓ  内部空間
【図１】
2015076580.tif 000003
【図２Ａ】
2015076580.tif 000004
【図２Ｂ】
2015076580.tif 000005
【図２Ｃ】
2015076580.tif 000006
【図２Ｄ】
2015076580.tif 000007
【図２Ｅ】
2015076580.tif 000008
【図３】
2015076580.tif 000009
【図４】
2015076580.tif 000010
【図５】
2015076580.tif 000011
【図６】
2015076580.tif 000012